(57)【要約】【課題】設置方法によって音声出力方向を変えることができるとともに、支持台が取り付けられている状態において支持台と音声出力部との位置関係を固定できる映像表示装置を提供する。【解決手段】映像表示装置は、映像表示モジュール３と、スピーカ５と、自装置にスタンド１が取り付けられ自装置がスタンド１によって支持されている状態においてスピーカ５を第１の位置に保持し、自装置にスタンド１が取り付けられていない状態においてスピーカ５を第２の位置に移動可能なスピーカホルダ４と、を備える。第２の位置は第１の位置よりもスピーカ５の音声出力面と映像表示モジュール３の映像表示面の向きが近い。【選択図】図１
2015231067.tif 000002
【特許請求の範囲】
【請求項１】
映像表示部と、
音声出力部と、
自装置に支持台が取り付けられ自装置が前記支持台によって支持されている状態において前記音声出力部を第１の位置に保持し、自装置に前記支持台が取り付けられていない状態において前記音声出力部を第２の位置に移動可能な可動部と、を備え、
第２の位置は第１の位置よりも前記音声出力部の音声出力面と前記映像表示部の映像表示面の向きが近い映像表示装置。
【請求項２】
第１の位置に保持されている状態の前記音声出力部は、前記映像表示部を収納する筐体の内部に格納される請求項１に記載の映像表示装置。
【請求項３】
前記映像表示部を収納する筐体と前記可動部との接触部分の少なくとも一部に弾性部材が設けられている請求項１または請求項２に記載の映像表示装置。
【請求項４】
前記可動部の動きを制限して前記音声出力部を第２の位置に保持する保持部を備える請求項１〜３のいずれか一項に記載の映像表示装置。
【請求項５】
前記可動部は、前記音声出力部および前記可動部の重量によって前記音声出力部を第２の位置に移動させる請求項１〜４のいずれか一項に記載の映像表示装置。
【発明の詳細な説明】
【技術分野】
【０００１】
本発明は、音声出力部を備える映像表示装置に関する。
【背景技術】
【０００２】
近年、音声出力部を備える映像表示装置では、薄型化やフロントキャビネットの額縁幅の縮小化が一層進められている。そして、その進展に伴い、音声出力部に制約が生じてきており、音声出力部の音声出力面を下向きにしている構造が増えてきている。
【０００３】
音声出力部の音声出力面を下向きにしている構造の映像表示装置は、音声出力方向が下向きであるため、映像表示装置に正対しているユーザが音声を聴き取りにくいという問題があった。
【０００４】
そこで、特許文献１では、映像表示装置を支持するスタンドに反射面を設け、音声出力部であるスピーカから出力された音声を当該反射面によって前方（映像表示装置に正対しているユーザに向かう方向）に反射させ、上記の問題を解決している。
【先行技術文献】
【特許文献】
【０００５】
【特許文献１】特開２０１０−２２６６４８号公報
【特許文献２】特開２０００−２６１８７６号公報
【発明の概要】
【発明が解決しようとする課題】
【０００６】
映像表示装置は、自装置を支持するスタンドを取り付けた状態で通常使用されるが、スタンドを取り付けずに壁掛けにした状態で使用されることもある。
【０００７】
特許文献１で提案されている映像表示装置は、スタンドを取り付けずに使用した場合、音声出力方向が下向きのままになり、映像表示装置に正対しているユーザが音声を聴き取りにくいという問題を有している。
【０００８】
なお、特許文献２で提案されている映像表示装置は、スピーカの音声出力面を任意の方向に向けることができるが、映像表示装置にスタンドを取り付けた場合にスタンドとスピーカとの位置関係が定まらない。このため、スタンドを利用した音声出力方向の変更を確実に実行することができないという問題が生じる。
【０００９】
本発明は、上記の状況に鑑み、設置方法によって音声出力方向を変えることができるとともに、支持台が取り付けられている状態において支持台と音声出力部との位置関係を固定できる映像表示装置を提供することを目的とする。
【課題を解決するための手段】
【００１０】
上記目的を達成するために本発明に係る映像表示装置は、映像表示部と、音声出力部と、自装置に支持台が取り付けられ自装置が前記支持台によって支持されている状態において前記音声出力部を第１の位置に保持し、自装置に前記支持台が取り付けられていない状態において前記音声出力部を第２の位置に移動可能な可動部と、を備え、第２の位置は第１の位置よりも前記音声出力部の音声出力面と前記映像表示部の映像表示面の向きが近い構成（第１の構成）とする。
【００１１】
このような構成によると、設置方法によって音声出力方向を変えることができる。すなわち、支持台を使用した設置方法と支持台を使用しない設置方法とで音声出力方向を変えることができる。これにより、支持台が取り付けられている状態、支持台が取り付けられていない状態の双方において、適切な音声出力方向を得ることが可能となる。
【００１２】
また、このような構成によると、支持台が取り付けられ自装置が支持台によって支持されている状態において支持台と音声出力部との位置関係を固定できる。これにより、支持台を利用した音声出力方向の変更を確実に実行することが可能となる。
【００１３】
上記第１の構成の映像表示装置において、第１の位置に保持されている状態の前記音声出力部は、前記映像表示部を収納する筐体の内部に格納される構成（第２の構成）であることが好ましい。
【００１４】
このような構成によると、支持台が取り付けられ自装置が支持台によって支持されている状態において外観をシンプルにすることができ、美観を向上させることができる。
【００１５】
上記第１又は第２の構成の映像表示装置において、前記映像表示部を収納する筐体と前記可動部との接触部分の少なくとも一部に弾性部材が設けられている構成（第３の構成）であることが好ましい。
【００１６】
このような構成によると、音声出力部が音声を出力しているときに音声出力部の振動によって筐体と可動部との接触部分が擦れて異音が発生することを抑えることができる。
【００１７】
上記第１〜第３のいずれかの構成の映像表示装置において、前記可動部の動きを制限して前記音声出力部を第２の位置に保持する保持部を備える構成（第４の構成）であることが好ましい。
【００１８】
このような構成によると、音声出力部を第２の位置に保持することができるので、音声出力部を第２の位置に移動させた状態で音声出力部が音声を出力しているときに生じ得る可動部の微小振動（びびり振動）を抑えることができる。これにより、音声出力部を第２の位置に移動させた状態で音声出力部が音声を出力しているときの音質を向上させることができる。
【００１９】
上記第１〜第４のいずれかの構成の映像表示装置において、前記可動部は、前記音声出力部および前記可動部の重量によって前記音声出力部を第２の位置に移動させる構成（第４の構成）であることが好ましい。
【００２０】
このような構成によると、ユーザが可動部を操作することなく、音声出力部を第２の位置に移動させることができるので、利便性が向上する。
【発明の効果】
【００２１】
本発明に係る映像表示装置によると、設置方法によって音声出力方向を変えることができる。これにより、支持台が取り付けられている状態、支持台が取り付けられていない状態の双方において、適切な音声出力方向を得ることが可能となる。
【００２２】
また、本発明に係る映像表示装置によると、支持台が取り付けられ自装置が前記支持台によって支持されている状態において支持台と音声出力部との位置関係を固定できる。これにより、支持台を利用した音声出力方向の変更を確実に実行することが可能となる。
【図面の簡単な説明】
【００２３】
【図１】スタンドを取り付けている状態における本発明の第１実施形態に係る映像表示装置の正面図である。
【図２】スタンドを取り付けている状態における本発明の第１実施形態に係る映像表示装置の側面図である。
【図３】スタンドを取り付けていない状態における本発明の第１実施形態に係る映像表示装置の正面図である。
【図４】スタンドを取り付けていない状態における本発明の第１実施形態に係る映像表示装置の側面図である。
【図５】スタンドを取り付けている状態における本発明の第２実施形態に係る映像表示装置の正面図である。
【図６】スタンドを取り付けている状態における本発明の第２実施形態に係る映像表示装置の側面図である。
【図７】スタンドを取り付けていない状態における本発明の第２実施形態に係る映像表示装置の正面図である。
【図８】スタンドを取り付けていない状態における本発明の第２実施形態に係る映像表示装置の側面図である。
【図９】スタンドを取り付けていない状態における本発明の第３実施形態に係る映像表示装置の要部側面図である。
【図１０】スタンドを取り付けていない状態における本発明の第４実施形態に係る映像表示装置の要部側面図である。
【発明を実施するための形態】
【００２４】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００２５】
＜第１実施形態＞
図１は、支持台の一例であるスタンド１を取り付けている状態における本発明の第１実施形態に係る映像表示装置の正面図である。図２は、スタンド１を取り付けている状態における本実施形態に係る映像表示装置の側面図である。図３は、スタンド１を取り付けていない状態における本実施形態に係る映像表示装置の正面図である。図４は、スタンド１を取り付けていない状態における本実施形態に係る映像表示装置の側面図である。
【００２６】
スタンド１に設けられた貫通孔（不図示）およびスピーカホルダ４に設けられたねじ孔にビスを通し、スピーカホルダ４にビス止めすることでスタンド１の取り付けが行われる。本実施形態に係る映像表示装置にスタンド１が取り付けられ、スタンド１の底面が水平面に接するようにスタンド１が載置されると、本実施形態に係る映像表示装置がスタンド１によって支持されている状態となる。
【００２７】
筐体２は例えば前部キャビネットと後部キャビネットから構成される。筐体２の前面には開口部が設けられている。筐体２は映像表示部の一例である液晶表示モジュール３を収納しており、筐体２の開口部から液晶表示モジュール３の映像表示面が露出している。すなわち、筐体２の前面の向きと液晶表示モジュール３の映像表示面の向きとが一致している。
【００２８】
本実施形態に係る映像表示装置は、可動部の一例であるスピーカホルダ４も備えている。スピーカホルダ４は一対のスピーカ５を有しており、スピーカホルダ４に対するスピーカ５の相対位置は固定されている。すなわち、スピーカ５はスピーカホルダ４の内部でスピーカホルダ４に固定されている。
【００２９】
スピーカホルダ４は、筐体２に対して垂直面内で回動可能になっており、スピーカホルダ４が回動するために必要な軸および軸受けは本実施形態に係る映像表示装置の前方側に設けられる。スピーカホルダ４が回動するために必要な軸はスピーカホルダ４側に設けられ、スピーカホルダ４が回動するために必要な軸受けは筐体２側に設けられる。
【００３０】
本実施形態に係る映像表示装置にスタンド１が取り付けられ、本実施形態に係る映像表示装置がスタンド１によって支持されている状態になると、スピーカホルダ４はスタンド１によって押し上げられ、本実施形態に係る映像表示装置にスタンド１が取り付けられ本実施形態に係る映像表示装置がスタンド１によって支持されている状態において、スピーカホルダ４はスタンド１によって押し上げられるので、スピーカ５が図１および図２に示す位置（第１の位置）に保持される。この場合、スピーカ５の音声出力方向は下向きになっているが、スタンド１の傾斜面での反射により音声出力方向が前向きに変更される（図２に示す矢印参照）。
【００３１】
一方、本実施形態に係る映像表示装置にスタンド１が取り付けられていない状態では、スピーカ５およびスピーカホルダ４の重量によってスピーカホルダ４に下向きの力（重力）が作用し、スピーカ５が図３および図４に示す位置（第２の位置）に移動する。第２の位置は第１の位置よりもスピーカ５の音声出力面と液晶表示モジュール３の映像表示面の向きが近くなっている。これにより、スピーカ５が第２の位置にある場合は、スタンド１の傾斜面での反射がなくても、スピーカ５の音声出力方向が前向きになる（図４に示す矢印参照）。
【００３２】
ここで、「スピーカ５の音声出力方向が前向き」とは、スピーカ５の音声出力方向が液晶表示モジュール３の映像表示面の法線方向成分を含んでいればよい。したがって、スピーカ５の音声出力方向と液晶表示モジュール３の映像表示面の法線方向とが一致していなくても、スピーカ５の音声出力方向が液晶表示モジュール３の映像表示面の法線方向成分を含んでいれば、「スピーカ５の音声出力方向が前向き」であると言える。
【００３３】
以上説明した本実施形態に係る映像表示装置は、液晶表示モジュール３と、スピーカ５と、自装置にスタンド１が取り付けられ自装置がスタンド１によって支持されている状態においてスピーカ５を第１の位置に保持し、自装置にスタンド１が取り付けられていない状態においてスピーカ５を第２の位置に移動可能なスタンドホルダ４と、を備え、第２の位置は第１の位置よりもスピーカ５の音声出力面と液晶表示モジュール３の映像表示面の向きが近い構成である。
【００３４】
このような構成によると、設置方法によって音声出力方向を変えることができる。すなわち、スタンド１を使用した設置方法とスタンド１を使用しない設置方法とで音声出力方向を変えることができる。これにより、スタンド１が取り付けられている状態、スタンド１が取り付けられていない状態の双方において、音声出力方向を前方（映像表示装置に正対しているユーザに向かう方向）にすることができる。すなわち、適切な音声出力方向を得ることができる。
【００３５】
また、このような構成によると、スタンド１が取り付けられ自装置がスタンド１によって支持されている状態においてスタンド１とスピーカ５との位置関係を固定できる。これにより、スタンド１を利用した音声出力方向の変更を確実に実行することが可能となる。
【００３６】
また、本実施形態に係る映像表示装置は、第１の位置に保持されている状態のスピーカ５が筐体２の内部に格納される構成である。
【００３７】
このような構成によると、スタンド１が取り付けられ自装置がスタンド１によって支持されている状態において外観をシンプルにすることができ、美観を向上させることができる。
【００３８】
また、本実施形態に係る映像表示装置は、スピーカホルダ４がスピーカ５およびスピーカホルダ４の重量によってスピーカ５を第２の位置に移動させる構成である。
【００３９】
このような構成によると、ユーザがスピーカホルダ４を操作することなく、スピーカ５を第２の位置に移動させることができるので、利便性が向上する。なお、スピーカホルダ４がスピーカ５およびスピーカホルダ４の重量によってスピーカ５を第２の位置に移動させる構成でない場合には、例えば、スピーカホルダ４に取っ手を設けたり、スタンド１をスピーカホルダ４に取り付けている状態でスタンド１を取っ手代わりに用いたりすることで、スピーカ５を第２の位置に移動させることができる。なお、美観の観点からスピーカホルダ４には取っ手を設けないことが望ましい。
【００４０】
＜第２実施形態＞
図５は、スタンド１を取り付けている状態における本発明の第２実施形態に係る映像表示装置の正面図である。図６は、スタンド１を取り付けている状態における本実施形態に係る映像表示装置の側面図である。図７は、スタンド１を取り付けていない状態における本実施形態に係る映像表示装置の正面図である。図８は、スタンド１を取り付けていない状態における本実施形態に係る映像表示装置の側面図である。
【００４１】
本実施形態に係る映像表示装置は、スピーカホルダ４が複数設けられており、複数のスピーカホルダ４が連結部材６によって連結されている点、並びに、筐体２の底面にねじ孔を設けスタンド１に設けられた貫通孔（不図示）および筐体２の底面に設けられたねじ孔にビスを通し、筐体２の底面にビス止めすることでスタンド１の取り付けが行われる点を除いて、本発明の第１実施形態に係る映像表示装置と同一の構成である。したがって、本実施形態に係る映像表示装置は、本発明の第１実施形態に係る映像表示装置と同一の効果を奏する。
【００４２】
また、筐体２の底面中央部に貫通孔（不図示）を設けており、スタンド１には上方に向かって延伸している棒状部材（不図示）が設けている。本実施形態に係る映像表示装置にスタンド１を取り付ける際には、筐体２の底面中央部に設けられた貫通孔を介してスタンド１の棒状部材が筐体２内部に進入し、スタンド１の棒状部材が連結部材６を上方に押し上げる。
【００４３】
これにより、本実施形態に係る映像表示装置にスタンド１が取り付けられ本実施形態に係る映像表示装置がスタンド１によって支持されている状態において、スピーカ５が図５および図６に示す位置（第１の位置）に保持される。
【００４４】
＜第３実施形態＞
図９は、スタンド１を取り付けていない状態における本発明の第３実施形態に係る映像表示装置の要部側面図である。
【００４５】
本実施形態に係る映像表示装置は、筐体２とスピーカホルダ４との接触部分にゴムなどの弾性部材７が設けられている点を除いて、本発明の第１実施形態に係る映像表示装置と同一の構成である。したがって、本実施形態に係る映像表示装置は、本発明の第１実施形態に係る映像表示装置と同一の効果を奏する。
【００４６】
なお、本実施形態では、スピーカホルダ４側に弾性部材７を設けたが、これに代えて或いはこれに加えて、筐体２に弾性部材を設けてもよい。また、スピーカホルダ４が回動するために必要な軸および軸受けの少なくとも一方に弾性部材を設けてもよい。
【００４７】
本実施形態に係る映像表示装置は、筐体２とスピーカホルダ４との接触部分に弾性部材７が設けられている構成である。
【００４８】
このような構成によると、スピーカ５が音声を出力しているときにスピーカ５の振動によって筐体２とスピーカホルダ４との接触部分が擦れて異音が発生することを抑えることができる。
【００４９】
＜第４実施形態＞
図１０は、スタンド１を取り付けていない状態における本発明の第４実施形態に係る映像表示装置の要部側面図である。
【００５０】
本実施形態に係る映像表示装置は、スピーカホルダ４につば部８が設けられ、つば部８に半球状の突起部９が設けられ、筐体の側面下部に貫通孔１０が設けられている点を除いて、本発明の第１実施形態に係る映像表示装置と同一の構成である。したがって、本実施形態に係る映像表示装置は、本発明の第１実施形態に係る映像表示装置と同一の効果を奏する。
【００５１】
半球状の突起部９は、ばね等の付勢手段（不図示）によって筐体２の側面外側方向に付勢されている。したがって、図１０に示す状態、すなわち本実施形態に係る映像表示装置にスタンド１が取り付けられていない状態では、半球状の突起部９が貫通孔１０から突出しており、突起部９及び貫通孔１０がスピーカホルダ４を図１０に示す位置で保持している。
【００５２】
図１０に示す状態からスピーカホルダ４が上方に押し込まれると、半球状の突起部９と貫通孔１０との接触によって突起部９が付勢手段の付勢力に抗して筐体２の側面内側方向に退行し、突起部９及び貫通孔１０によるスピーカホルダ４の位置保持が解除される。
【００５３】
本実施形態に係る映像表示装置は、スピーカホルダ４の動きを制限してスピーカ５を第２の位置に保持する突起部９および貫通孔１０を備える構成である。
【００５４】
このような構成によると、スピーカ５を第２の位置に保持することができるので、スピーカ５を第２の位置に移動させた状態でスピーカ５が音声を出力しているときに生じ得るスピーカホルダ４の微小振動（びびり振動）を抑えることができる。これにより、スピーカ５を第２の位置に移動させた状態でスピーカ５が音声を出力しているときの音質を向上させることができる。
【００５５】
＜その他＞
上述した各実施形態に係る映像表示装置は、例えばテレビ放送受信チューナーを備えるテレビジョン受像機であってもよく、パーソナルコンピュータ等の映像・音声出力インターフェースとして利用できるスピーカ内蔵型映像表示モニタであってもよい。
【００５６】
また、上述した各実施形態に係る映像表示装置は、筐体２の背面が平坦な形状であったが、筐体２の背面下部が背面側に膨らんだ形状としスピーカ５の設置空間を大きくしてもよい。
【００５７】
また、上述した各実施形態に係る映像表示装置において、第１の位置および第２の位置以外の位置でスピーカ５を保持できる機構を設けても構わない。
【符号の説明】
【００５８】
１  スタンド
２  筐体
３  液晶表示モジュール
４  スピーカホルダ
５  スピーカ
６  連結部材
８  つば部
９  突起部
１０  貫通孔
【図１】
2015231067.tif 000003
【図２】
2015231067.tif 000004
【図３】
2015231067.tif 000005
【図４】
2015231067.tif 000006
【図５】
2015231067.tif 000007
【図６】
2015231067.tif 000008
【図７】
2015231067.tif 000009
【図８】
2015231067.tif 000010
【図９】
2015231067.tif 000011
【図１０】
2015231067.tif 000012